(57)【要約】【課題】現場で手作業により簡単に組みたてて敷設又は据付が容易であり、機械的又は電気的駆動源を要することなく、防護領域に強行進入する空気タイヤ車輪付車両を強制的に停止させる一方、通行を許可された車両に対し、バリケードの撤去又は解体を要することなく安全に通行させ得るバリケードを提供する。【解決手段】複数の基盤を、連結部材を介して分離可能に連結して形成した帯状の盤体の盤面に、空気タイヤ車輪をパンクさせるスパイク部材及び車両走行を妨害するポール部材を立設する一方、前記帯状の盤体の前端から後端に至り傾斜角度をもって直線状に延びる車輪通行領域を形成する。【選択図】図１
2008223380.tif 000002
【特許請求の範囲】
【請求項１】
盤面に多数の貫通孔を設けた複数の基盤の縁部を、連結部材を介して分離可能に連結して帯状の盤体を形成し、該帯状の盤体の前端から後端に至り空気タイヤ車輪付き車両の車輪のタイヤ幅より若干大きい幅をもって斜め方向に平行状に延びる車両の車輪通行領域を画定し、該盤体における車輪通行領域以外の領域に分散する複数の貫通孔に、ボルト頭部に空気タイヤ刺通尖頭部を形成したスパイク部材のボルト下端部を挿入するとともに該盤体の裏面側からナットを介して該スパイク部材を起立状に固定して組立てた通行阻止用バリケードを、車両停止領域に敷設し、前記バリケードに強行進入した車両の空気タイヤに前記スパイク部材が突き刺さって該空気タイヤをパンクさせることにより該車両を強制的に停止させる一方、バリケード通行許可車両に対し前記スパイク部材が存在しない車輪通行領域を通って安全通行可能に構成したことを特徴とする通行阻止用バリケード。
【請求項２】
各基盤の盤面にマトリックス状に多数の貫通孔を形成し、これらの基盤を、連結部材を介して連結して形成した帯状の盤体に、該盤体の前端から後端に至り傾斜角度をもって直線状に延びる車輪通行領域を画定したことを特徴とする請求項１に記載の通行阻止用バリケード。
【請求項３】
複数の基盤を、連結部材を介して分離可能に連結して形成した帯状の盤体の前端から後端に至り車輪の空気タイヤ幅より若干大きい幅をもって斜め方向に直線状に延びるように画定された車輪通行領域の両側外方部に分散する複数の貫通孔に、通行車両の底面高さより長いポール部材を、該盤体の裏面側からナットを介して固定したことを特徴とする請求項１又は請求項２に記載の通行阻止用バリケード。
【請求項４】
複数の基盤を、連結部材を介して分離可能に連結して形成した帯状の盤体の前端部に固定された少なくとも２本のポール部材間に、“通行停止（STOP）”を表示した横断幕を張設したことを特徴とする請求項１〜３のいずれかに記載の通行阻止用バリケード。
【請求項５】
複数の基盤を、連結部材を介して分離可能に連結して形成した帯状の盤体の前端から後端に至り車輪の空気タイヤ幅より若干大きい幅をもって斜め方向に平行状に延びるように画定された車輪通行領域の両側縁部に配置される複数の貫通孔に、走行車両の底面高さより低いポール部材を、該盤体の裏面側からナットを介して固定し、通行許可された車両を、前記車輪通行領域を通行させる直前に、前記車輪の通行領域の両側縁部に沿って隣接するポール部材間に、着色又は蛍光塗料を塗布した車両通行案内プレートを挿入して着脱可能に装着したことを特徴とする請求項１〜４のいずれかに記載の通行阻止用バリケード。
【請求項６】
請求項１〜請求項５のいずれかに記載の少なくとも２以上の通行阻止用バリケードを、間隔をあけて敷設し、前記各バリケードの帯状の盤体の前端から後端に至り斜め方向に延びる車輪通行領域の傾斜角度を互いに相違するように配置したことを特徴とする通行阻止用バリケード。
【発明の詳細な説明】
【技術分野】
【０００１】
本発明は、通行阻止用バリケード、特に、強行進入車両の通行阻止用バリケードに関する。
【背景技術】
【０００２】
近年、世界中で自動車を用いた暴走行為、例えば、空港とか重要建造物への強行進入事件が頻繁に起きており、凶悪化を深めている。したがって、これら暴走車両による弊害から安全と平穏を確保するために、暴走車両の根絶を図ることは緊急の課題である。従来、これらの暴走車両を強制的に停止させるために、例えば、角柱状スポンジに多数の中空細針を埋め込んだ自動車タイヤのパンク強制具（文献１参照）や、多数のスパイクをベルトに固定した車両進入阻止ベルト（文献２参照）や、伸縮自在なアーム部材に中空針を上向きに植設した車両停止装置（文献３参照）が知られている。
【０００３】
前記従来形式の車両停止装置は、路面に敷設することにより車両の空気タイヤを損傷させて停止させるようにしたものであり、緊急事態に即応できる利点を有し、かつ確実に車両を停止させる機能を有する。しかしながら、通行を許可された車両に対しては、車両を通す度に、該車両進入阻止装置を撤去するとか解体する必要があり、また取り締まる際、再び敷設し直す操作を繰り返さなければならないという問題点があった。
【０００４】
また、鋼鉄製電動式あるいは油圧式の車両侵入阻止装置（TT280、TC14、双日アビシス株式会社製：非特許文献参照）が知られている。
【０００５】
しかしながら、前記電動式あるいは油圧式車両侵入阻止装置は、別個に動力源を必要とするため、製作コストが高価であり、大掛りな据付工事を要するという問題点があった。
【０００６】
【特許文献１】実開昭５４−１５７３４３号公報
【特許文献２】実開昭５５−６７２１０号公報
【特許文献３】実登第３０４４５２６号公報
【非特許文献１】http://www.sojitz-avisys.com/security/barricade/index.html
【発明の開示】
【発明が解決しようとする課題】
【０００７】
本発明は、前記問題点を完全に解消するために為されたものであり、現場で手作業により簡単に組みたてて敷設又は据付が容易であり、機械的又は電気的駆動源を要することなく、防護領域に強行進入する空気タイヤ車輪付車両を強制的に停止させる一方、通行を許可された車両に対し、バリケードの撤去又は解体を要することなく安全に通行させ得る通行阻止用バリケードを提供することを目的とする。
【課題を解決するための手段】
【０００８】
本発明の通行阻止用バリケードは、盤面に多数の貫通孔を設けた複数の基盤の縁部を、連結部材を介して分離可能に連結して帯状の盤体を形成し、該帯状の盤体の前端から後端に至り空気タイヤ車輪付き車両の車輪のタイヤ幅より若干大きい幅をもって斜め方向に平行状に延びる車両の車輪通行領域を画定し、該盤体における車輪通行領域以外の領域に分散する複数の貫通孔に、ボルト頭部に空気タイヤ刺通尖頭部を形成したスパイク部材のボルト下端部を挿入するとともに該盤体の裏面側からナットを介して該スパイク部材を起立状に固定して組立てた通行阻止用バリケードを、車両停止領域に敷設し、前記バリケードに強行進入した車両の空気タイヤに前記スパイク部材が突き刺さって該空気タイヤをパンクさせることにより該車両を強制的に停止させる一方、バリケード通行許可車両に対し前記スパイク部材が存在しない車輪通行領域を通って安全通行可能に構成したことを特徴とする。
【発明の効果】
【０００９】
本発明の請求項１に記載の通行阻止用バリケードによれば、複数の基盤を分離可能に連結させてバリケード本体部の帯状の盤体を形成するようにしたので、持ち運びが容易であり、現場で手作業により簡単に組み立てることができる。また、車両の車輪空気タイヤをパンクさせる多数のスパイク部材及び車体底面部の駆動部を破損させるポール部材を分散配置した帯状の盤体に、スパイク部材及びポール部材が存在しない傾斜状の車輪通行領域を形成するようにしたので、該車輪通行領域以外の盤面領域に固定されたスパイク部材及びポール部材を介して強行進入車両の強制停止機能を毀損することなく、前記傾斜車輪通行領域を介して通行を許可された車両を安全に通行させることができるという優れた作用効果を奏し得る。
【００１０】
本発明の請求項２に記載の通行阻止用バリケードによれば、各基盤の盤体にマトリックス状に多数の貫通孔を形成したので、車輪通行領域を直線状に容易に画定することができるという優れた作用効果を奏し得る。
【００１１】
本発明の請求項３に記載の通行阻止用バリケードによれば、車輪通行領域の両側外方部に分散する複数の貫通孔に、通行車両の底面高さより長いポール部材を、該盤体の裏面側からナットを介して固定したので、当該バリケードに強行進入した車両の車体底部に突き当たり、車軸駆動部等を破損して強制的に停止させることができるという優れた作用効果を奏し得る。
【００１２】
本発明の請求項４に記載の通行阻止用バリケードによれば、帯状の盤体の前端部に立設したポール部材に、例えば、赤字で“通行停止（ＳＴＯＰ）”と表示した横断幕等を張設可能としたので、進入車両の停止を勧告すると同時に車輪通行領域を隠蔽できるという優れた作用効果を奏し得る。
【００１３】
本発明の請求項５に記載の通行阻止用バリケードによれば、通行を許可された車両が傾斜車輪通行領域を通行する直前に、該傾斜車輪通行領域の両側縁部に沿って立設した隣接するポール部材間に、着色又は蛍光塗料を塗布した車両通行案内プレートを挿入することにより装着可能としたので、該案内プレートの着色又は蛍光表示部に従って通行を許可された車両はスムースにかつ安全に当該バリケードを通過できるという優れた効果を奏し得る。
【００１４】
本発明の請求項６に記載の通行阻止用バリケードによれば、車輪通行領域の傾斜角度を互いに違えた２つ以上のバリケードを、車両の走行方向変換可能に間隔をあけて敷設したので、強行的に進入してくる車両の強制停止機能を有効に高めることができるという優れた効果を奏し得る。
【発明を実施するための最良の形態】
【００１５】
実施の形態１．
図1は、この発明を実施するための実施の形態１の通行阻止用バリケード１全体の外観斜視図を示す。図1において、バリケード１は、例えば、道路上で、自動車を用いた凶悪犯罪者等を検問するための非常線として敷設される。バリケード１は、例えば、警察官が道路上で非常線を張ろうとする現場において手作業により組み立て、当該道路の全幅にわたって横断するように敷設される。
【００１６】
バリケード１は、概略、複数の基盤２と、複数の連結部材６と、多数のスパイク部材１５、１８と、多数のポール部材２２、２３とを用いて形成される。
【００１７】
基盤２は、図２及び図３に示すように、代表的に、長方形の鉄板を用いて形成され、その盤面に多数の貫通孔４を分散させて配置される。なお、基盤２の形状は、長方形に限らず、平行四辺形、長楕円形、平行状長辺を有する多角形等であっても良い。また、基盤２は、鉄板に限らず、好ましくは、鋼板とか、機械的強度（剛性）の高い合成樹脂板であってもよい。基盤２の寸法（縦×横×厚み）は、例えば、２５０ｍｍ×５００ｍｍ×５ｍｍ〜５００ｍｍ×１０００ｍｍ×１０ｍｍとされ、持ち運びや組み立て作業に好都合な大きさとされる。
【００１８】
基盤２に設けられる多数の貫通孔４は、好ましくは、マトリックス状に配置される。このように、基盤２の盤面全体に多数の貫通孔４を規則的に配置することにより、詳細に後述する直線状の傾斜車輪通行領域を容易に画定することができる。
【００１９】
基盤２の各辺の縁部に、それぞれ、基盤２の大きさに応じて、少なくとも２つ以上の基盤連結孔５が設けられる。図１に示す基盤２においては、各辺の両端部及び中間部に３つの基盤連結孔５が設けられている。隣接する基盤２の対向する辺の縁部同士が、図４に示すように、両端部にそれぞれ長孔７、７を設けた金属製連結板（連結部材）６を用いて連結され、帯状の盤体３が形成される。図１に示すバリケード１の基部を形成する帯状の盤体３は、道路の幅方向に５枚の基盤２を縦列接続するとともに道路の長さ方向に２列に、合計５ｘ２＝１０枚の基盤２を、合計３９個の連結板６を用いて連結されている。隣接する基盤２を連結板６により連結するには、両基盤２の対向する辺の縁部に設けられた一対の基盤連結孔５、５と連結板６の両端の長孔７、７とが重なり合うように位置合わせし、重なり合った貫通孔部分にボルト８を挿入し、該ボルト８の頭部とボルト下端部に螺着するナット（図示しない）とで基盤２を挟持することにより、隣接する両基盤２が分離可能に連結される。なお、この基盤連結にあたり、連結板６及びボルト８に代えて、それらを一体化したコの字形の連結金具（図示しない）を用いて、その両脚ボルトを、両基盤２の対向辺の縁部に設けられた一対の基盤連結孔５、５に嵌め込んで両基盤２を連結するようにしてもよい。
なお、基盤連結孔５は、貫通孔４を利用するようにしてもよい。
【００２０】
帯状の盤体３の盤面に、図１に示すように、前端から後端に至り傾斜角度をもって互いに平行に直線状に延びる二条の車輪通行領域１１、１１が画定される。両車輪通行領域１１、１１は、共に、自動車（車両）の両輪の空気タイヤ幅より若干大きい幅を有するとともに両側車輪の間隔に応じた間隔をもって互いに平行に延びる。帯状の盤体３の前端及び後端に対する両車輪通行領域１１、１１の傾斜角度は、度々変更することにより、強行進入車両の運転者等により車両通行領域が判読されないようにすることができる。なお、車輪通行領域は、自動車（車両）の車体の横幅に応じた幅を有する単一の車輪通行領域（図示を省略する）とすることもできる。
【００２１】
帯状の盤体３の盤面に画定された平行状の２つの車輪通行領域１１、１１を除き、両車輪通行領域間の間部１３及び両車輪通行領域の両側外方部１４、１４に分散して位置する多数の貫通孔４に、図５に示すような楔型尖頭部１６を有するスパイク部材１５のボルト下端部１７、図６に示すような三角錐型尖頭部１９を有するスパイク部材１８のボルト下端部２０を挿入し、基盤２の裏面側からボルト下端部１７、２０にナット２１を締結して基盤２の盤面に起立状に固定され、即ち、ボルト植え付けされる。なお、スパイク部材は上記に限らず、円錐型尖頭部を有するスパイク部材であってもよい。スパイク部材１５の尖頭部１６及びスパイク部材１８の尖頭部１９の長さは、当該バリケード１の強行突破を図ろうとする自動車（車両）の空気タイヤ車輪に突き刺さり、空気タイヤをパンクさせて強制的に自動車（車両）を停止させ得る大きさとされる。また、盤体３の盤面における車輪通行領域の両側外方部１４、１４に分散して配置される多数の貫通孔４のうち、適宜に選定した貫通孔４に、図７に示すような中実円柱部２４を有するポール部材２３が、上述したスパイク部材１５、１８の固定方法と同様の方法でボルト止めされる。これらのポール部材２３の円柱部２４の長さは、自動車（車両）の車体底面の高さより若干大きくされ、当該バリケード１の強行突破を図ろうとする自動車の車体底部に突き当たり、車軸駆動部等を破損して強制的に停止させるように形成される。なお、上述した互いに平行な２つの車輪通行領域１１の間部１３には、前記ポール部材２３の植え付けはされず、通行を許可された車両が両車輪通行領域１１、１１を通って通過する際、車両に何ら損傷を受けることなく安全に通行可能とされる。
【００２２】
帯状の盤体３の盤面に画定された平行状の２つの車輪通行領域１１、１１に存在する貫通孔４には、スパイク部材１５、１８、ポール部材２３等のボルト植え付けは一切行われず、いわゆる、ブランク状態とされる。なお、通行を許可された自動車（車両）が両車輪通行領域１１、１１を通って通行する直前まで、両車輪通行領域１１、１１に存在する貫通孔４のうち、適宜に選定した幾つかの貫通孔４（図示しない）に、幾つかのスパイク部材１５、１８、ポール部材２３のボルト下端部１７、２０、２５を挿入し、ナット２１によりボルト止めすることなく、抜き取り可能に起立状に取り付け、通行を許可された自動車（車両）が車輪通行領域１１、１１を通行する直前にそれらのスパイク部材１５、１８及びポール部材２３を抜き取って、通行を許可された車両が両車輪通行領域１１、１１を安全に通行可能とし、当該バリケード１に強行進入する自動車（車両）の強制的停止機能を十分に確保することができる。
【００２３】
帯状の盤体３の前端部に、図８、図９に示すような長い柱状部の上端部及び下端部にそれぞれロープ通し孔２８を設けた中実ポール部材２６、中空ポール部材２７を、ポール部材２３のナット２１によるボルト止めと同様の方法で固定し、このようにして立設された少なくとも２本のポール部材間に、図示しないロープを介して“通行停止（STOP）”と表記した横断幕（図示しない）を張設する。これにより、当該バリケード１に向かって走行してきた車両に停車を視覚的に勧告するとともに傾斜状に延びる車輪通行領域１１、１１を隠蔽することができる。
【００２４】
また、帯状の盤体３における各車輪通行領域１１の両側境界部に沿って存在する複数対の貫通孔４に、図１０に示すように、円柱部の長さが自動車（車両）の車体底面の高さより若干小さくしたポール部材２２をナット２１により締結して立設し、通行許可された車両を、車輪通行領域１１、１１を通行させる直前に、隣接するポール部材２２、２２間に、断面Ｌ字形の車両通行案内プレート２９を挿入することにより簡単に装着することができる。車両通行案内プレート２９に、例えば、黄色塗料とか蛍光塗料を塗布することにより、車両の運転者に車輪通行領域１１、１１の視認を容易なものとし、該車輪通行領域１１、１１から逸脱することなく車両を安全に走行させることができる。
【００２５】
基盤２へのスパイク部材１５、１８、ポール部材２２、２３、２６、２７の固定は、前述したように、連結部材６により所要数の基盤２の縁部を連結して帯状の盤体３を形成する前に実施される。まず、基盤２の辺縁部に位置する、例えば、３つの貫通孔４にそれぞれ前述した方法で基盤２の裏面側からポール部材２６又は２７のボルト下端部をナット２１により締結し、図１１に示すように、基盤２の盤面に起立状に固定されたポール部材２６又は２７の柱状部の先端部で基盤２を支持させて立掛け、この状態で所要のスパイク部材１５、１８、ポール部材２２、２３、２６、２７の所定の貫通孔４への取付けを実施することにより、取付け作業能率を有効に高めることができる。
【００２６】
前記構成のバリケード１は、道路に限らず、重要施設、例えば、原子力発電所、大使館、空港等の出入り口付近に設置して、テロリスト等による爆弾を搭載した空気タイヤ車輪付自動車を用いた不法侵入を有効に抑制することができる。
【００２７】
実施の形態２．
図１２に示すように、実施の形態２のバリケードは、実施の形態１と比べ、車輪通行領域１１、１１の傾斜角度のみが互いに相違し、その他の構成部分が実質的に等価なものとされる、２つの帯状の盤体３、３３を、車両の走行方向変換可能なスペースを得られるように間隔をあけて敷設することにより形成される。この構成により、実施の形態１のバリケードにおけるよりも、強行的に進入してくる車両の強制停止機能を更に高めることができる。
【００２８】
本発明に係る通行阻止用バリケードの基盤２を小型軽量化するとともに、スパイク部材１５、１８を小型化して基盤２の盤面全体に分散して設けた貫通孔４にボルト止めして形成したバリケードを、住宅のベランダ等に設置することにより、住宅への人の不法侵入を有効に阻止するとか、そのような不法侵入行為を未然に抑止することができる。
【図面の簡単な説明】
【００２９】
【図１】本発明の第１実施例の通行阻止用バリケードの斜視図である。
【図２】貫通孔を設けた基盤の全体図である。
【図３】Aから見た基盤の断面図である。
【図４】連結プレートの全体図とその断面図である。
【図５】スパイク部材（楔型）の斜視図である。
【図６】スパイク部材（三角錐型）の斜視図である。
【図７】ポール部材の斜視図である。
【図８】ポール部材（中実）の全体図と断面図である。
【図９】ポール部材（中空）の全体図と断面図である。
【図１０】盤体の盤面に形成された車輪通行領域の車両通行案内プレートを装着したバリケードの部分斜視図である。
【図１１】基盤にスパイク部材等を取り付ける作業手順の一例の説明図である。
【図１２】本発明の第２実施例の通行阻止用バリケードの斜視図である。
【符号の説明】
【００３０】
１    本発明の通行阻止用バリケード
２    基盤
３    帯状の盤体
４    貫通孔
６    基盤連結部材
１１    車輪通行領域
１３    車輪通行領域間の間部
１４    車輪通行領域の両側外方部
１５    スパイク部材（楔型）
１８    スパイク部材（三角錐型）
２２    ポール部材（短）
２３    ポール部材（長）
２６    ポール部材（中実）
２７    ポール部材（中空）
２７    ポール部材
２９    車両通行案内プレート
３３    帯状の盤体
【図１】
2008223380.tif 000003
【図２】
2008223380.tif 000004
【図３】
2008223380.tif 000005
【図４】
2008223380.tif 000006
【図５】
2008223380.tif 000007
【図６】
2008223380.tif 000008
【図７】
2008223380.tif 000009
【図８】
2008223380.tif 000010
【図９】
2008223380.tif 000011
【図１０】
2008223380.tif 000012
【図１１】
2008223380.tif 000013
【図１２】
2008223380.tif 000014